(57)【要約】【課題】本発明は、ユーザが駆動を切り離すための特別な操作をする必要もなく、かつギア駆動伝達系を破損することなく、中間転写ユニットを着脱できる画像形成装置を提供することを目的とする。【解決手段】発明に係る画像形成装置の代表的な構成は、一次転写ローラ３９を中間転写ベルト２７Ｂを介して感光ドラム２８に当接離間する二次転写ローラ２６と、この二次転写ローラ２６に駆動を伝達するギア３７Ｇとを有し、かつ装置本体から着脱可能な転写ユニット５０と、装置本体からギア３７Ｇに駆動を伝達するギア３８Ｇと、を有する画像形成装置において、ギア３８Ｇは、欠け歯ギアであり、一次転写ローラ３９が感光ドラム２８から離間した離間状態で、転写ユニット着脱の際にギア３７Ｇが描く軌跡４３の範囲外まで回転していることを特徴とする。【選択図】図１
2007212934.tif 000002
【特許請求の範囲】
【請求項１】
転写ローラを中間転写体を介して像担持体に当接離間する当接離間部材と、この当接離間部材に駆動を伝達する第一のギアとを有し、かつ装置本体から着脱可能な転写ユニットと、前記装置本体から前記第一のギアに駆動を伝達する第二のギアと、を有する画像形成装置において、
前記第二のギアは、欠け歯ギアであり、前記転写ローラが前記像担持体から離間した離間状態で、前記転写ユニット着脱の際に前記第一のギアが描く軌跡の範囲外まで回転していることを特徴とする画像形成装置。
【請求項２】
前記第一のギアは、欠け歯ギアであることを特徴とする請求項１に記載の画像形成装置。
【請求項３】
前記第二のギアの回転位置を検知する検知手段を有し、
この検知手段は、センサで読み取ることで前記第二のギアの回転位置を検知する検知マークとを有し、
この検知マークは前記第二のギアの初期状態から駆動が伝達できなくなるまでの回転角間に設けられていることを特徴とする請求項１又は２に記載の画像形成装置。
【請求項４】
前記第一のギアの回転中心と前記第二のギアの回転中心を結んだ線分と、前記転写ユニットの着脱方向が平行でないことを特徴とする請求項１〜３のいずれか１項に記載の画像形成装置。
【発明の詳細な説明】
【技術分野】
【０００１】
本発明は、カラー複写機やカラープリンタ等の画像形成装置に関するものである。
【背景技術】
【０００２】
従来、無端ベルトである中間転写ベルトを感光体に当接させる駆動を供給する方法としては、特許文献１（特開２００１−３１８５０８）に示されるような構成がある。
【０００３】
最近では、インラインカラープリンタ等でモノクロ印刷する際に使用しないカラー用の感光体の消耗を防ぐため、記録中にカラー用の感光体から中間転写ベルトを当接離間する。さらに、画像出力の高速化に伴い、上記の当接離間動作を短時間で行う。
【０００４】
中間転写ベルトの当接動作には、高トルク駆動を本体側から供給する必要がある。このため、図10に示すように、本体から転写ユニットへの駆動伝達方法としてギア伝達が使用される場合がある。
【０００５】
図10に示した矢印Ａ方向に着脱可能な中間転写ユニット５０の中間転写ベルト５０Ｂの当接離間機構では、転写ローラが中間転写ベルト５０Ｂを介して感光体に当接する。一次転写ローラ５１Ｙ、５１Ｍ、５１Ｃ、５１Ｂｋは、バネ（不図示）によって加圧されている。また、一次転写ローラ５１の軸受５３Ｙ、５３Ｍ、５３Ｃ、５３Ｂｋは一部に突起５３Ｙａ、５３Ｍａ、５３Ｃａ、５３Ｂｋａを有している。突起５３Ｙａ〜５３Ｂｋａは、ユニット５０の当接離間機構である離間板５２の穴５２Ｙ、５２Ｍ、５２Ｃ、５２Ｂｋに入っている。
【０００６】
離間板５２は、離間軸５４に保持された離間レバー５４Ｆ、５４Ｒに係合されていて、離間レバー５４Ｆ、５４Ｒが回転すると、直線的に移動する。離間軸５４は離間ギア５６と一体的に構成されており、離間レバー５４Ｆ、５４Ｒに対して軸方向に移動可能に保持されている。また、離間板５２は、離間板バネ（不図示）によって矢印Ｂ方向に付勢されている。よって、この系では、離間ギア５６は、矢印Ｂ方向に付勢されていることになる。
【０００７】
また、駆動本体側の離間駆動ギア５７をモータ（不図示）により回転させることで、離間ギア５６が回転し、離間レバー５４Ｆ、５４Ｒが回転する。これにより、離間板５２が直線的に移動し、一次転写ローラ５１に付加されているバネ（不図示）の加圧力が開放され、一次転写ローラ５１が中間転写ベルト５０Ｂを介して感光体に当接する。
【０００８】
【特許文献１】特開２００１−３１８５０８号公報
【発明の開示】
【発明が解決しようとする課題】
【０００９】
しかしながら、ギア駆動伝達系では、常時ギア同士が噛み合っているため、以下のような不具合があった。
【００１０】
ユニット５０の従動ギア（離間ギア５６）は、本体側の離間駆動ギア５７および当接機構により常時付勢されている。このため、ユニット５０の着脱の際には、常時付与されている付勢力より強い力が必要である。従って、ユーザは、他の駆動を切り離す機構を操作しなければ、ユニット５０の着脱をスムーズに行うことができないという問題があった。
【００１１】
また、ユニット５０を一端引き出し、その後再度、装置本体へユニット５０を戻したとき、ユニット５０を引き出すことでギア５７の姿勢が変わっている。このため、ギア５７の位相を制御している場合では、正しい位相にならない可能性がある。そして、位相がずれたまま、当接離間駆動を作動させた場合では、正常な動作が行われず、当接位置不良となる。
【００１２】
そこで本発明は、ユーザが駆動を切り離すための特別な操作をする必要もなく、かつギア駆動伝達系を破損することなく、中間転写ユニットを着脱できる画像形成装置を提供することを目的とする。また、ギアの位相のずれを抑制し、当接位置不良を抑制できる画像形成装置を提供することを目的とする。
【課題を解決するための手段】
【００１３】
上記課題を解決するために本発明に係る画像形成装置の代表的な構成は、転写ローラを中間転写体を介して像担持体に当接離間する当接離間部材と、この当接離間部材に駆動を伝達する第一のギアとを有し、かつ装置本体から着脱可能な転写ユニットと、前記装置本体から前記第一のギアに駆動を伝達する第二のギアと、を有する画像形成装置において、前記第二のギアは、欠け歯ギアであり、前記転写ローラが前記像担持体から離間した離間状態で、前記転写ユニット着脱の際に前記第一のギアが描く軌跡の範囲外まで回転していることを特徴とする。
【発明の効果】
【００１４】
本発明によれば、ユーザが駆動を切り離すための特別な操作をする必要もなく、かつギア駆動伝達系を破損することなく、中間転写ユニットを着脱できる。また、ギアの位相のずれを抑制し、当接位置不良を抑制できる。
【発明を実施するための最良の形態】
【００１５】
[第一実施形態]
本発明に係る画像形成装置の第一実施形態について、図を用いて説明する。図１は本実施形態に係る画像形成装置の断面図である。図２は中間転写ユニットの初期状態における斜視図である。図３は駆動伝達系の初期状態を示す断面図である。図４は駆動伝達系のカラー当接状態を示す断面図である。図５は離間板と突起の関係を示す図である。図６は中間転写ベルトと一次転写ローラを当接離間させるための装置本体駆動系を制御するための赤外線遮光フラッグのパターンである。図７は比較例における離間駆動ギアと従動ギアの位置関係を示す断面図である。
【００１６】
図１に示すように、画像形成装置１００は、給送カセット２１、ピックアップローラ２２、フィードローラ２３、リタードローラ２４、レジストローラ対２５、二次転写ローラ２６、中間転写ユニット２７、離間駆動ギア３８Ｇを有している。また、画像形成装置１００は、感光ドラム２８、レーザスキャナ３２、定着器３３、排出ローラ対３４、排出トレイ３５を有している。
【００１７】
図１、図２に示すように、中間転写ユニット２７は、中間転写ベルト２７Ｂ、駆動ローラ２７Ｄ、テンションローラ２７Ｔ、離間板３６、離間軸３７、離間レバー３７Ｆ、３７Ｒ、離間ギア３７Ｇ、一次転写ローラ３９を有している。ユニット２７は、本体側面の開閉ドア４１を開放することで、着脱可能に装置本体に保持されている。
【００１８】
中間転写体である中間転写ベルト２７Ｂは無端ベルトであり、駆動ローラ２７Ｄ、テンションローラ２７Ｔにより張架されている。駆動ローラ２７Ｄは、ベルト２７Ｂを介して二次転写ローラ２６とニップする。
【００１９】
一次転写ローラ３９Ｙ、３９Ｍ、３９Ｃ、３９Ｂｋは、ベルト２７Ｂに付勢されている。ローラ３９の軸受４０は、一部に突起４０ａを有している。当接離間部材である離間板３６は、駆動ローラ２７Ｄ側から長穴３６ａ、Ｌ字形状の穴３６Ｙ、３６Ｍ、３６Ｃ、３６Ｂｋを有している。突起４０ａは、離間板３６の穴３６Ｙ、３６Ｍ、３６Ｃ、３６Ｂｋに入っている。
【００２０】
離間レバー３７Ｆ、３７Ｒは、離間軸３７とともに回転可能に保持されており、一部に突起３７Ｆａ、３７Ｒａを有している。突起３７Ｆａ、３７Ｒａは長穴３６ａに入って係合している。長穴３６ａは離間板３６の長手方向と直交する上下方向に伸びており、突起３７Ｆａ、３７Ｒａは長穴３６ａの上下方向では遊びがある。
【００２１】
離間レバー３７Ｆ、３７Ｒが回転すると、離間板３６は離間板３６の長手方向に直線的に移動する。離間板３６は離間板バネ３６ＳＰによってテンションローラ２７Ｔ側に付勢されている。
【００２２】
図５に示すように、穴３６Ｙ〜３６Ｂｋは、縦穴３６Ｙ１〜３６Ｂｋ１と縦穴３６Ｙ１〜３６Ｂｋ１の底から駆動ローラ２７Ｄ側に伸びた横穴３６Ｙ２〜３６Ｂｋ２とからＬ字形状に形成されている。
【００２３】
図５（ｃ）に示すように、突起４０ａが縦穴３６Ｙ１〜３６Ｂｋ１の天井部にあるときは、ローラ３９はベルト２７Ｂに付勢されている（カラー当接状態）。図５（ａ）に示すように、突起４０ａが横穴３６Ｙ２〜３６Ｂｋ２にあるときは、ローラ３９はベルト２７Ｂから離間している（離間状態）。
【００２４】
縦穴３６Ｂｋ１の天井部の幅は、他の穴３６Ｙ〜３６Ｃのそれに比べて長く形成されている（本実施形態では２倍〜３倍ぐらいある）。このため、離間板３６の位置によって、図５（ｂ）に示すように、縦穴３６Ｙ１の天井部にのみ突起４０ａがあり、他の突起４０ａは横穴３６Ｙ２〜３６Ｃ２にある。このとき、ローラ３９Ｂｋのみベルト２７Ｂに当接し、ローラ３９Ｙ〜３９Ｃがベルト２７Ｂから離間した状態になる（モノクロ当接状態）。
【００２５】
離間軸３７と第一のギアであるギア３７Ｇは、一体的に構成されており、離間レバー３７Ｆ、３７Ｒに対して移動可能に保持されている。ギア３７Ｇは、通常の全歯ギアでも良いが、本実施形態では円周の約１／５の範囲にのみ歯がある欠け歯ギアとした。これにより、離間レバー３７Ｆ、３７Ｒの回動軌跡が限定され、離間レバー３７Ｆ、３７Ｒが回転する長穴３６ａの長さを短くできる。また、離間板３６が必要以上にストロークせず、離間板３６のストロークの領域を限定できる。このため、離間板３６のストローク方向（長手方向）のユニット２７の寸法を小さくでき、ユニット２７を小型化できる。
【００２６】
第二のギアであるギア３８Ｇは、円周の約１／５の範囲にのみ歯がある欠け歯ギアとした。なお、ギア３８Ｇは少なくともギア３７Ｇがどの位置に回転しても干渉しない位置に回転して退避できればよい。
【００２７】
ギア３７Ｇはギア３８Ｇからの駆動を受けて、離間レバー３７Ｆ、３７Ｒを回転させる。ギア３８Ｇの同軸上には、ギア３８Ｇを初期化する初期化手段であり、ギア３８Ｇの回転位置を検知する検知手段である赤外線遮光フラッグギア３８Ｆが設けられている。フラッグギア３８Ｆの検知マーク（スリット３８Ｆｓ）を赤外線センサ３８Ｓで読み取り、フラッグギア３８Ｆ（離間駆動ギア３８Ｇ）の回転情報をモータ制御基板（不図示）にフィードバックする。そして、モータ制御基板によりモータ（不図示）の回転数を制御することで、ギア３８Ｇを離間位置、モノクロ当接位置、カラー当接位置の３つの位置に回転させ、位置制御している。
【００２８】
（ギア３７Ｇ、３８Ｇの位置制御）
初期状態において、ギア３７Ｇ、３８Ｇは、それぞれ図３に示す離間位置３７Ｇａ、３８Ｇａにある。このとき、ギア３８Ｇはユニット着脱の際にギア３７Ｇ（歯先円４２）が描く軌跡４３の範囲外に待機している。すなわち、ギア３８Ｇはユニット２７の着脱時にギア３７Ｇと干渉しない位置まで回転している。このため、ギア３８Ｇが初期状態（離間位置３８Ｇａ）にある場合は、ギア３７Ｇがいかなる状態にあっても、ユニット２７の着脱時にギア３８Ｇがギア３７Ｇと干渉することはない。
【００２９】
初期状態において、離間板３６は離間板バネ３６ＳＰによってテンションローラ２７Ｔ側に付勢されている。このため、突起４０ａは横穴３６Ｙ２〜３６Ｂｋ２に位置し、ローラ３９Ｙ〜３９Ｂｋは全て押し下げられて像担持体である感光ドラム２８Ｙ〜２８Ｂｋ（ベルト２７Ｂ）から離間した離間状態となっている。
【００３０】
モノクロ記録を行う場合には、離間位置３８Ｇａからモノクロ当接位置までギア３８Ｇを回転する。そして、ギア３８Ｇがモノクロ当接位置まで回転すると、ギア３７Ｇが回転し、離間レバー３７Ｆ、３７Ｒが離間板３６を中間位置までスライドさせる。この状態では、穴３６Ｂｋ内の突起４０ａのみが横穴３６Ｙ２から縦穴３６Ｙ１に移動してローラ３９Ｂｋの押し下げを解除し、モノクロ当接状態となる。
【００３１】
カラー記録を行う場合には、さらに図４に示すカラー当接位置３８Ｇｂまでギア３８Ｇを回転する。この結果、ギア３７Ｇが回転し、離間レバー３７Ｆ、３７Ｒが離間板３６を完全に移動させる。この状態では、離間板３６の穴３６Ｙ〜３６Ｂｋの全てがローラ３９Ｙ〜３９Ｂｋの押し下げを解除し、図１に示すようなカラー当接状態となる。
【００３２】
上記カラー当接状態又はモノクロ当接状態で、給送カセット２１からピックアップローラ２２によって給送された記録シートは、フィードローラ２３、リタードローラ２４によって、１枚に分離され、レジストローラ対２５に搬送される。ここで記録シートは一旦停止する。
【００３３】
一方、露光手段であるレーザスキャナ３２によって感光ドラム２８Ｙ〜２８Ｂｋ（モノクロ記録の場合は感光ドラム２８Ｂｋのみ）に露光された画像を現像器（不図示）によって現像し、ベルト２７Ｂに一次転写する。ベルト２７Ｂ上に一次転写された画像は、二次転写ローラ２６へ進み、その画像に合わせて、レジストローラ対２５で停止していた記録シートを再スタートさせる。再スタートした記録シートは、二次転写ローラ２６によって画像を転写され、定着器２３によって画像を定着され、２４の排出ローラ対によって、２５の排出トレイ上に排出される。
【００３４】
記録動作が終了すると、モータ（不図示）を逆転させることで、離間位置３８Ｇａまでギア３８Ｇを逆回転する。この結果、ギア３７Ｇが逆回転し、離間レバー３７Ｆ、３７Ｒが逆回転し、離間板３６を図３に示す初期位置までスライドする。
【００３５】
以上の動作が、記録動作開始から記録動作終了までのギア３７Ｇ、３８Ｇの一連の動作である。記録動作が正常に終了した場合では、ギア３７Ｇ、３８Ｇは必ず初期の位置関係に戻る。
【００３６】
前述したように、ギア３７Ｇ、３８Ｇが初期位置にある場合は、ギア３８Ｇは、ユニット２７の着脱時にギア３７Ｇが描くいかなる軌跡に対して干渉しない位置にある。これにより、ユーザが駆動を切り離すための特別な操作をする必要もなく、かつギア駆動伝達系（ギア３７Ｇ、３８Ｇ）を破損することなく、ユニット２７を着脱できる。
【００３７】
（ギア３７Ｇ、３８Ｇの初期化）
次に、ギア３７Ｇとギア３８Ｇの位置関係が分からない場合に行われる二つのギア３７Ｇ、３８Ｇの初期化について説明する。ギア３７Ｇとギア３８Ｇの位置関係が分からない場合としては、本体電源投入直後あるいは、本体内搬送中における記録シートのＪＡＭ発生時などがある。
【００３８】
ギア３７Ｇ、３８Ｇを初期化するために、まず、ギア３８Ｇを回転させ、ギア３７Ｇをローラ３９の押し下げを解除する方向（図２、図３中時計回り）に回転させる。ギア３８Ｇとフラッグギア３８Ｆは連動して図６中の矢印Ｃ方向に回転する。また、図６において、ギア３８Ｇの離間位置３８Ｇａ（図３における位置）に対応するフラッグの位置を３８Ｆａとし、ギア３８Ｇのカラー当接位置Ｇｂ（図４における位置）に対応するフラッグの位置を３８Ｆｂとする。
【００３９】
同方向に回転を続け、センサ３８Ｓで発光される赤外線（入射直線Ｓ−Ｓ）が、フラッグギア３８Ｆのフラッグにおけるスリット３８Ｆｓにより透過されたとき、センサ出力ＰＩはＨ（遮光）→Ｌ（透過）となる。センサ出力ＰＩ＝Ｌ（透過）となったときから回転方向Ｃに所定量回転後にモータを停止させることにより、ギア３８Ｇを離間位置３８Ｇａに戻してギア３８Ｇを初期化する。
【００４０】
一方、ギア３８Ｇを初期化した状態（離間状態）では、ギア３７Ｇとギア３８Ｇとの噛み合いは解除されている。この状態で、離間板３６が離間バネ３６ＳＰによって初期位置に戻るように付勢されている。このため、離間板３６の長穴３６ａが離間レバー３７Ｆ、３７Ｒを回動し、これに連動してギア３７Ｇは離間位置３７Ｇａ（初期位置）まで戻り、初期化される。
【００４１】
上記の初期化が行われた後では、ギア３８Ｇ、３７Ｇは、必ず離間位置３８Ｇａ、３７Ｇａに戻っている。すなわち、ギア３８Ｇは、ユニット２７の着脱時にギア３７Ｇが描くいかなる軌跡に対して干渉しない位置にある。これにより、ユーザが駆動を切り離すための特別な操作をする必要もなく、かつギア駆動伝達系（ギア３７Ｇ、３８Ｇ）を破損することなく、ユニット２７を着脱できる。また、ギアの位相のずれを抑制し、当接位置不良を抑制できる。
【００４２】
また、本実施形態の画像形成装置１００では、図３に示すように、ギア３８Ｇとギア３７Ｇとの回転中心を結んだ線分Ｌ１は、ユニット２７の着脱方向Ｌ２と平行ではない（ほぼ直角）。これに対し、図７のように、線分Ｌ１と着脱方向Ｌ２が平行な場合では、装置本体組立直後などの、ギア３７Ｇの姿勢が特定できない場合に、ユニット２７の本体装着時にギア３７Ｇがギア３８Ｇと歯先衝突し、ユニット２７が装置本体内に収納できない可能性がある。
【００４３】
そこで、本実施形態の画像形成装置１００では、図３のように、線分Ｌ１と着脱方向Ｌ２とが平行とならない位置関係とした。これにより、ユニット２７の本体装着時にギア３７Ｇがギア３８Ｇと歯先衝突する場合でも、衝突した力でギア３７Ｇが回転し、ユニット２７を装置本体内に収納できる。
【００４４】
[第二実施形態]
次に本発明に係る画像形成装置の第二実施形態について図を用いて説明する。図８は本実施形態に係る中間転写ベルトと一次転写ローラを当接離間させるための装置本体駆動系を制御するための赤外線遮光フラッグのパターンである。図９は装置本体駆動系の初期化フローチャートである。上記第一実施形態と説明の重複する部分については、同一の符号を付して説明を省略する。
【００４５】
本実施形態の画像形成装置は、上記第一実施形態の画像形成装置１００において、ギア３８Ｇとギア３７Ｇの位置関係が分からない場合に行われる初期化の方法を変更したものである。以下、本実施形態における、ギア３７Ｇ、３８Ｇの初期化について説明する。
【００４６】
図８（ａ）、図８（ｂ）に示すように、スリット３８Ｆｓは、初期位置３８Ｆａとカラー当接位置３８Ｆｂの間に設けられている。すなわち、スリット３８Ｆｓは、ギア３８Ｇの初期状態から駆動が伝達できなくなるまでの回転角間に設けられている。
【００４７】
本実施形態におけるギア３７Ｇ、３８Ｇの初期化は、図９に示すフローチャートに従って行われる。図９に示すように、モータ（不図示）によりギア３８Ｇを回転させ、ギア３７Ｇをローラ３９の押し下げを解除する方向（図２、図３中時計回り）に回転させる。ギア３８Ｇとフラッグギア３８Ｆは連動して回転し、図８（ａ）中の矢印Ｃ方向に回転する（Ｓ９０１）。この際、モータ（不図示）の回転数を示す変数ＲをＲ＝０から回転に準じてカウントさせる（Ｓ９０２）。
【００４８】
そして、センサ３８Ｓの出力ＰＩがＰＩ＝Ｈ（遮光）の間は、モータの回転数（変数Ｒ）のカウントを続ける（Ｓ９０３、Ｓ９０４）。そして、センサ３８Ｓの出力ＰＩが図８（ａ）、図８（ｂ）におけるスリット３８ＦｓによりＰＩ＝Ｈ（遮光）からＬ（透過）に変わったとき（Ｓ９０４）、Ｒ＝０とし、再度変数Ｒのカウントを開始する（Ｓ９０５）。つぎに、Ｒ＝Ｘとなった時点でモータ（不図示）を停止する（Ｓ９０６）。
【００４９】
その後、モータを先ほどまでの回転と逆方向に回転させ、Ｒを０から再カウントする（Ｓ９０７）。そして、図８において、Ｒ＝Ｙとなったときにモータの回転を停止させる（Ｓ９０８）。これにより、ギア３８Ｇを離間位置３８Ｇａに戻してギア３８Ｇを初期化する。一方、ギア３７Ｇもギア３８Ｇの逆回転を受け離間位置３７Ｇａ（初期位置）まで戻り、初期化される。
【００５０】
上述の初期化方法は、初期化時の騒音発生回数の低減およびギアの長寿命化を図ることができる。すなわち、上記第一実施形態で説明したように、離間バネ３６ＳＰの付勢力によりギア３７Ｇを初期化する場合には、ギア３７Ｇに働く付勢力が一気に開放され、当接機構が初期状態に戻る瞬間に大きな衝撃音が発生する。
【００５１】
また、ギア３７Ｇ、３８Ｇの噛み合いが外れる瞬間には、ギア３７Ｇ、３８Ｇの歯先に離間バネ３６ＳＰの付勢力が集中する。このため、衝撃回数を重ねることで、ギア３７Ｇ、３８Ｇの歯先が変形・磨耗し、ギアの寿命を低下させることになる。
【００５２】
これに対し、本実施形態の上記の初期化を行うことで、上記第一実施形態で説明した初期化方法と比べて、ギア３７Ｇ、３８Ｇの噛み合いが外れる回数が減ることになる。これにより、耳障りな衝撃音が発生する回数を減らすことができる。また、ギア３７Ｇ、３８Ｇの長寿命化を図ることができる。
【図面の簡単な説明】
【００５３】
【図１】第一実施形態に係る画像形成装置の断面図である。
【図２】第一実施形態に係る中間転写ユニットの初期状態における斜視図である。
【図３】第一実施形態に係る駆動伝達系の初期状態を示す断面図である。
【図４】第一実施形態に係る駆動伝達系のカラー当接状態を示す断面図である。
【図５】（ａ）離間状態の離間板と突起の関係を示す図である。（ｂ）モノクロ当接状態の離間板と突起の関係を示す図である。（ｃ）カラー当接状態の離間板と突起の関係を示す図である。
【図６】第一実施形態に係る中間転写ベルトと一次転写ローラを当接離間させるための装置本体駆動系を制御するための赤外線遮光フラッグのパターンである。
【図７】比較例における離間駆動ギアと従動ギアの位置関係を示す断面図である。
【図８】第二実施形態に係る中間転写ベルトと一次転写ローラを当接離間させるための装置本体駆動系を制御するための赤外線遮光フラッグのパターンである。
【図９】第二実施形態に係る装置本体駆動系の初期化フローチャートである。
【図１０】従来の中間転写ユニットの初期状態における斜視図である。
【符号の説明】
【００５４】
２１…給送カセット、２２…ピックアップローラ、２３…フィードローラ、２４…リタードローラ、２５…レジストローラ対、２６…二次転写ローラ、２７…中間転写ユニット、２７Ｂ…中間転写ベルト、２７Ｄ…駆動ローラ、２７Ｔ…テンションローラ、２８…感光ドラム、３２…レーザスキャナ、３３…定着器、３４…排出ローラ対、３５…排出トレイ、３６…離間板（当接離間部材）、３６…縦穴、３６ＳＰ…離間板バネ、３６Ｙ〜Ｂｋ…穴、３６Ｙ１〜Ｂｋ１…縦穴、３６Ｙ２〜Ｂｋ２…横穴、３６ａ…長穴、３７…離間軸、３７Ｆ、３７Ｒ…離間レバー、３７Ｇ…離間ギア（第一のギア）、３７Ｇａ、３８Ｇａ…離間位置、３７Ｒａ…突起、３８Ｆ…赤外線遮光フラッグギア（検知手段）、３８Ｆａ…初期位置、３８Ｆｓ…スリット（検知マーク）、３８Ｇ…離間駆動ギア（第二のギア）、３８Ｇｂ…カラー当接位置、３８Ｓ…赤外線センサ、３９…一次転写ローラ、４０…軸受、４０ａ…突起、４１…開閉部材、４２…歯先円、４３…軌跡、１００…画像形成装置
【図１】
2007212934.tif 000003
【図２】
2007212934.tif 000004
【図３】
2007212934.tif 000005
【図４】
2007212934.tif 000006
【図５】
2007212934.tif 000007
【図６】
2007212934.tif 000008
【図７】
2007212934.tif 000009
【図８】
2007212934.tif 000010
【図９】
2007212934.tif 000011
【図１０】
2007212934.tif 000012